(57)【要約】【課題】集中豪雨発生の際のエレベーターへの浸水を抑制する。【解決手段】エレベーター２０と、エレベーター２０の運行制御を行う制御装置２７と、制御装置２７と接続され、気象情報提供サービスセンタ４０と通信を行う通信装置２８と、を含むエレベーターシステム１００において、通信装置２８は、エレベーター２０の設置地点の周辺で集中豪雨が発生する可能性があることを通知する集中豪雨発生予測メールを気象情報提供サービスセンタ４０から受信した際にメール受信信号を制御装置２７に出力し、制御装置２７は、通信装置２８からメール受信信号が入力された際に、エレベーター２０に浸水対応動作を行わせる。【選択図】図１
2018177475.tif 000002
【特許請求の範囲】
【請求項１】
エレベーターと、
前記エレベーターの運行制御を行う制御装置と、
前記制御装置と接続され、気象情報提供サービスセンタと通信を行う通信装置と、を含むエレベーターシステムであって、
前記通信装置は、前記エレベーターの設置地点の周辺で集中豪雨が発生する可能性があることを通知する集中豪雨発生予測メールを前記気象情報提供サービスセンタから受信した際にメール受信信号を前記制御装置に出力し、
前記制御装置は、前記通信装置から前記メール受信信号が入力された際に、前記エレベーターに浸水対応動作を行わせるエレベーターシステム。
【請求項２】
請求項１に記載のエレベーターシステムであって、
前記通信装置は、前記集中豪雨発生予測メールを受信した際に前記集中豪雨発生予測メールから降雨開始予想時刻を抽出し、抽出した前記降雨開始予想時刻を前記メール受信信号と共に前記制御装置に出力し、
前記制御装置は、前記降雨開始予想時刻に応じて前記エレベーターの浸水対応動作を行わせるタイミングを調整すること、
を特徴とするエレベーターシステム。
【請求項３】
請求項１または２に記載のエレベーターシステムであって、
前記浸水対応動作は、浸水が予想される階に前記エレベーターを停止させないように前記エレベーターを運行する浸水退避運行であること、
を特徴とするエレベーターシステム。
【請求項４】
請求項１から３のいずれか１項に記載のエレベーターシステムであって、
前記エレベーターの浸水を防止する浸水防止装置を含み、
前記制御装置は、前記エレベーターの運行制御と前記浸水防止装置の駆動制御とを行い、
前記浸水対応動作は、浸水が予想される階に前記エレベーターを停止させないように前記エレベーターを運行する浸水退避運行あるいは前記浸水防止装置の作動のいずれか一方または両方であること、
を特徴とするエレベーターシステム。
【請求項５】
第１エレベーターと、
前記第１エレベーターの運行制御を行う第１制御装置と、
前記第１制御装置と接続され、気象情報提供サービスセンタと通信を行う第１通信装置と、
第２エレベーターと、
前記第２エレベーターの運行制御を行う第２制御装置と、
前記第２制御装置と接続され、前記第１通信装置と通信を行う第２通信装置と、を含むエレベーターシステムであって、
前記第１通信装置は、前記第１エレベーターの設置地点の周辺で集中豪雨が発生する可能性があることを通知する集中豪雨発生予測メールを前記気象情報提供サービスセンタから受信した際にメール受信信号を前記第１制御装置と前記第２通信装置とに出力し、
前記第１制御装置は、前記第１通信装置から前記メール受信信号が入力された際に、前記第１エレベーターに浸水対応動作を行わせ、
前記第２通信装置は、前記第１通信装置から前記メール受信信号が入力された際に、前記メール受信信号を前記第２制御装置に出力し、
前記第２制御装置は、前記第２通信装置から前記メール受信信号が入力された際に、前記第２エレベーターに浸水対応動作の予報を行わせるエレベーターシステム。
【発明の詳細な説明】
【技術分野】
【０００１】
本発明は、集中豪雨の発生が予測された際にエレベーターに浸水対応動作を行わせるエレベーターシステムに関する。
【背景技術】
【０００２】
集中豪雨等の際にエレベーターのピットや地下設備等への浸水が発生することがある。このため、エレベーターのかごや昇降路内に水位検知器を設置し、昇降路への浸水が検知された場合にエレベーターを予め決められた避難階まで運転し、避難階に停止してから戸閉する等の運転休止動作をさせたり、最下階に運行させないようにする浸水防止運転を行ったりすることが提案されている（例えば、特許文献１参照）。
【０００３】
また、昇降路内に設置した浸水センサで浸水を検知した際に、エレベーター乗り場の出入口に設けた防水シャッタを閉じてエレベーターの出入口を水密にすることも提案されている（例えば、特許文献２参照）。
【先行技術文献】
【特許文献】
【０００４】
【特許文献１】特開２００２−１２８４１０号公報
【特許文献２】特開２００２−４６９６６号公報
【発明の概要】
【発明が解決しようとする課題】
【０００５】
ところで、近年の集中豪雨は、いわゆるゲリラ豪雨のように、ごく短時間で想定外の大きな雨量となる場合が多い。このような集中豪雨の場合、水位検知器で水位を検知してからエレベーターの運転休止動作、浸水防止運転、防水シャッタの閉止等の浸水対応動作を開始しても、エレベーターへの浸水を防止できない場合がある。
【０００６】
そこで、本発明は、集中豪雨発生の際のエレベーターへの浸水を抑制することを目的とする。
【課題を解決するための手段】
【０００７】
本発明のエレベーターシステムは、エレベーターと、前記エレベーターの運行制御を行う制御装置と、前記制御装置と接続され、気象情報提供サービスセンタと通信を行う通信装置と、を含むエレベーターシステムであって、前記通信装置は、前記エレベーターの設置地点の周辺で集中豪雨が発生する可能性があることを通知する集中豪雨発生予測メールを前記気象情報提供サービスセンタから受信した際にメール受信信号を前記制御装置に出力し、前記制御装置は、前記通信装置から前記メール受信信号が入力された際に、前記エレベーターに浸水対応動作を行わせることを特徴とする。
【０００８】
本発明のエレベーターシステムにおいて、前記通信装置は、前記集中豪雨発生予測メールを受信した際に前記集中豪雨発生予測メールから降雨開始予想時刻を抽出し、抽出した前記降雨開始予想時刻を前記メール受信信号と共に前記制御装置に出力し、前記制御装置は、前記降雨開始予想時刻に応じて前記エレベーターの浸水対応動作を行わせるタイミングを調整してもよい。
【０００９】
本発明のエレベーターシステムにおいて、前記浸水対応動作は、浸水が予想される階に前記エレベーターを停止させないように前記エレベーターを運行する浸水退避運行としてもよい。
【００１０】
本発明のエレベーターシステムにおいて、前記エレベーターの浸水を防止する浸水防止装置を含み、前記制御装置は、前記エレベーターの運行制御と前記浸水防止装置の駆動制御とを行い、前記浸水対応動作は、浸水が予想される階に前記エレベーターを停止させないように前記エレベーターを運行する浸水退避運行あるいは前記浸水防止装置の作動のいずれか一方または両方としてもよい。
【００１１】
本発明のエレベーターシステムは、第１エレベーターと、前記第１エレベーターの運行制御を行う第１制御装置と、前記第１制御装置と接続され、気象情報提供サービスセンタと通信を行う第１通信装置と、第２エレベーターと、前記第２エレベーターの運行制御を行う第２制御装置と、前記第２制御装置と接続され、前記第１通信装置と通信を行う第２通信装置と、を含むエレベーターシステムであって、前記第１通信装置は、前記第１エレベーターの設置地点の周辺で集中豪雨が発生する可能性があることを通知する集中豪雨発生予測メールを前記気象情報提供サービスセンタから受信した際にメール受信信号を前記第１制御装置と前記第２通信装置とに出力し、前記第１制御装置は、前記第１通信装置から前記メール受信信号が入力された際に、前記第１エレベーターに浸水対応動作を行わせ、前記第２通信装置は、前記第１通信装置から前記メール受信信号が入力された際に、前記メール受信信号を前記第２制御装置に出力し、前記第２制御装置は、前記第２通信装置から前記メール受信信号が入力された際に、前記第２エレベーターに浸水対応動作の予報を行わせることを特徴とする。
【発明の効果】
【００１２】
本発明は、集中豪雨発生の際のエレベーターへの浸水を抑制することができる。
【図面の簡単な説明】
【００１３】
【図１】実施形態のエレベーターシステムの構成を示す系統図である。
【図２】図１に示す気象情報提供サービスセンタから送信される集中豪雨発生予測メールの例を示す説明図である。
【図３】図１に示すエレベーターシステムの動作を示すフローチャートである。
【図４】他の実施形態のエレベーターシステムの構成を示す系統図である。
【図５】図５に示すエレベーターシステムの動作を示すフローチャートである。
【発明を実施するための形態】
【００１４】
以下、図面を参照しながら実施形態のエレベーターシステム１００について説明する。図１に示すように、本実施形態のエレベーターシステム１００は、建屋１０の昇降路１１の中に設置されたエレベーター２０と、エレベーター２０の運行制御を行う制御装置２７と、気象情報提供サービスセンタ４０およびエレベーター管理情報センタ５０との間で通信を行う通信装置２８とを含んでいる。
【００１５】
エレベーター２０は、乗客を乗せて昇降するかご２２と、かご２２を吊り下げるロープ２３と、ロープ２３のかご２２と反対側の端部に取り付けられた錘２５と、ロープ２３を駆動する巻上機２４とを備えている。巻上機２４は、昇降路１１の上部に配置された機械室２１に設置されている。また、エレベーター２０の制御装置２７と通信装置２８も機械室２１の内部に設置されている。このように、通信装置２８は、エレベーター２０、制御装置２７と同一地点に設置されている。かご２２には乗客が乗降するドア２６が設けられている。また、建屋１０の乗り場階１２にはドア２６と連動して開閉する乗り場ドア１３が設けられている。建屋１０の乗り場ドア１３の前面には、昇降路１１の内部への浸水を防止する浸水防止装置である防水シャッタ１５が取り付けられている。なお、図１中の破線で囲った（ａ）は、乗り場ドア１３と防水シャッタ１５とを建屋１０の側から見た図である。
【００１６】
制御装置２７は、かご２２の内部に配置された行き先階ボタンや乗り場階１２に配置された呼びボタンに応じて巻上機２４や図示しないブレーキを制御してかご２２を昇降、停止させると共に、かご２２のドア２６と乗り場ドア１３の開閉を行う。また、制御装置２７は、防水シャッタ１５の開閉制御も行う。制御装置２７は、内部に情報処理を行うＣＰＵとエレベーター２０の制御プログラム、制御データ等を格納するメモリとを備えるコンピュータである。
【００１７】
通信装置２８は、インターネット等の通信ネットワーク３０を介してエレベーター管理情報センタ５０の通信装置５１との間で通信を行うと共に、通信ネットワーク３０を介して気象情報提供サービスセンタ４０の通信装置４１からメールの受信を行う。また、通信装置２８は、制御装置２７と接続されてデータ、信号の授受を行うよう構成されている。通信装置２８は、通信機能と共に、内部に情報処理を行うＣＰＵと動作プログラムあるいはデータを格納するメモリとを含むコンピュータであり、受信したメールの内容を分析してデータを抽出したり、受信したメールからメール受信信号を生成したりすることができる。
【００１８】
エレベーター管理情報センタ５０は、エレベーター２０に異常が発生していないかどうか等を遠隔監視する設備で、サーバである情報処理装置５２は、エレベーター２０の設置地点、型番、製造番号、故障履歴、運転履歴、保守履歴等の各種データに基づいて、エレベーター２０の異常の発生を監視する。エレベーター２０の遠隔監視は、例えば、制御装置２７が所定のスケジュールに従ってエレベーター２０の運転データを通信装置２８に出力し、通信装置２８がこの運転データをエレベーター管理情報センタ５０に送信する。エレベーター管理情報センタ５０の情報処理装置５２は、通信装置５１を介して入力されたエレベーター２０の運転データを分析し、エレベーター２０の状態を監視する。
【００１９】
気象情報提供サービスセンタ４０は、サーバである情報処理装置４２の中に各地の集中豪雨情報を含む気象情報を格納している。また、情報処理装置４２は、データベースを有し、その中に、顧客の登録地、メールアドレス等を格納している。気象情報提供サービスセンタ４０は、データベースに格納している各地の集中豪雨情報から、例えば、１０分から３０分以内の短時間の内に顧客の登録地の周辺で集中豪雨が発生する可能性がある場合には、登録された顧客のメールアドレスに対して図２に示すような集中豪雨発生予測メールを発信する。
【００２０】
次に、エレベーターシステム１００の動作について図３を参照しながら説明する。以下の説明では、気象情報提供サービスセンタ４０のデータベースの登録地には、通信装置２８の設置地点でもあるエレベーター２０の設置地点が登録されており、メールアドレスには、通信装置２８の固有メールアドレスが登録されているとして説明する。また、以下の説明では、エレベーター２０の浸水対応動作は、浸水が予想される地下階および地上階にエレベーター２０を停止させず、二階以上の階にのみ停止するようにエレベーター２０を運行する浸水退避運行と、地下階および地上階の防水シャッタ１５を閉める浸水防止装置の作動であるとして説明する。
【００２１】
気象情報提供サービスセンタ４０の情報処理装置４２は、データベースに格納している集中豪雨情報に基づいて登録地であるエレベーター２０の設置地点の周辺に１０分から３０分以内に集中豪雨が発生する可能性があると判断した場合、登録メールアドレスである通信装置２８の固有メールアドレスに向けて図２に示すような集中豪雨発生予測メールを発信する。図２に示すように、集中豪雨発生予測メールには、件名として「集中豪雨発生予測メール」、通信日時、登録地としてエレベーター２０の設置地点の住所が含まれている。また、文中には、「登録地の周辺で集中豪雨、雷雨発生の可能性があります」という定形文と、降雨開始予想時間である雨の降り出し予想時間が記載されている。また、文末には、発信者名が「気象情報提供サービスセンタ」と記載されている。
【００２２】
図３のステップＳ１０１に示すように、通信装置２８は、気象情報提供サービスセンタ４０から集中豪雨発生予測メールを受信するまで待機する。集中豪雨発生予測メールの受信の有無は、メールの発信元のアドレスによって判断してもよいし、メールの文中に発信者名として「気象情報提供サービスセンタ」の文字が含まれていることによって判断するようにしてもよい。
【００２３】
通信装置２８は、気象情報提供サービスセンタ４０から集中豪雨発生予測メールを受信したら、図３のステップＳ１０１でＹＥＳと判断して図３のステップＳ１０２に進む。
【００２４】
通信装置２８は、図３のステップＳ１０２で、図２に示す集中豪雨発生予測メールの文中のテキストデータの中から、降雨開始予想時刻を抽出し、図３のステップＳ１０３に進んで制御装置２７に出力するメール受信信号を生成する。そして、図３のステップＳ１０４に進んで、制御装置２７に対してメール受信信号と降雨開始予想時刻データを出力する。
【００２５】
制御装置２７は、通信装置２８からメール受信信号と降雨開始予想時刻データが入力されると、図３のステップＳ１０５において、浸水対応動作開始時刻を計算する。浸水対応動作が浸水退避運行と浸水防止装置の作動の場合、制御装置２７は浸水退避運行の開始時刻と、浸水防止装置作動開始時刻を算出する。例えば、制御装置２７は、エレベーター２０の浸水退避運行の開始時刻を降雨開始予想時刻の２０分前、浸水防止装置である地下階および地上階の防水シャッタ１５を閉めるのは、その５分後のように各開始時刻を計算する。そして、制御装置２７は、その時刻になるまで待機する。このように、制御装置２７は、降雨開始予想時刻に応じてエレベーター２０の浸水対応動作を行わせるタイミングを調整する。
【００２６】
そして、浸水対応動作の開始時刻になったら、制御装置２７は、図３のステップＳ１０６に進んで、浸水対応動作を開始する。先の例によれば、制御装置２７は、まず、エレベーター２０の浸水退避運行を開始し、エレベーター２０が地下階および地上階に停止せず、二階以上の階にのみ停止するように停止階を制限する。そして、５分間、浸水退避運行を行ったら、地下階および地上階の防水シャッタ１５の閉止を開始する。防水シャッタ１５の閉止には、１−２分程度の時間がかかる。この結果、降雨開始予想時刻の１０分前には、浸水対応動作への移行が完了する。
【００２７】
その後、集中豪雨が始まったら浸水対応動作状態を保持して、図３のステップＳ１０７に示すように、浸水対応動作が解除されるまで待機する。
【００２８】
浸水対応動作の解除にはいろいろな方法があるが、例えば、エレベーター２０の管理者が降雨の終了を確認して制御装置２７の解除ボタンを押すことによって浸水対応動作を解除してもよい。
【００２９】
浸水対応動作が解除されたら、制御装置２７は、図３のステップＳ１０８に進んで、防水シャッタ１５を開放し、その後、浸水退避運行を停止して全ての階にかご２２が停止する通常運行に戻す。
【００３０】
以上説明したように、本実施形態のエレベーターシステム１００は、エレベーター２０の設置地点と同一地点に設置されている通信装置２８が集中豪雨発生予測メールを受信したことにより、エレベーター２０に浸水対応動作を行わせるので、集中豪雨が発生する前にエレベーター２０を浸水対応動作状態に移行させることができる。これにより、集中豪雨発生の際のエレベーター２０への浸水を効果的に抑制することができる。また、集中豪雨発生により乗客の閉じ込めが発生することを抑制することができる。
【００３１】
また、本実施形態のエレベーターシステム１００では、エレベーター管理情報センタ５０からの指令等によらず、気象情報提供サービスセンタ４０から送信される集中豪雨発生予測メールによってエレベーター２０に浸水対応動作を開始させるようにしている。このため、エレベーター管理情報センタ５０からポーリングによって指令等を送信する際のような指令送信の遅れが無く、タイムリーに浸水対応動作を開始することができる。これにより、集中豪雨発生の際のエレベーター２０への浸水や乗客の閉じ込めの発生を効果的に抑制することができる。
【００３２】
以上の説明では、エレベーター２０の浸水対応動作としてかご２２の地下階、地上階への停止を制限する浸水退避運行と、防水シャッタ１５を閉止することの２つを行うこととして説明したが、これに限らず、例えば、エレベーター２０のかご２２を上の階に停止させた状態でエレベーター２０の運行を停止させた状態としてもよい。また、浸水退避運行と防水シャッタ１５の閉止のいずれか一方のみを行うようにしてもよい。また、通信装置２８は、集中豪雨発生予測メールを受信した際に、エレベーター管理情報センタ５０にもメール受信信号を発信し、エレベーター管理情報センタ５０は、入力されたメール受信信号に基づいてエレベーター２０に近接して設置されている他のエレベーター２０に対して浸水対応動作開始の指令を送信して、近接して設置されている他のエレベーター２０に浸水対応動作を開始させてもよい。
【００３３】
なお、上記の説明では、通信装置２８は１つのエレベーター２０の1つの制御装置２７と接続されていることとして説明したが、これに限らず、例えば、複数のエレベーター２０が設置されている一つのビルの中に１つの通信装置２８を設け、１つの通信装置２８と各エレベーター２０の各制御装置２７とを接続し、１つの通信装置２８から複数の制御装置２７に対してメール受信信号、降雨開始予想時刻のデータを出力するように構成してもよい。
【００３４】
また、降雨開始予想時刻は、例えば、集中豪雨発生予測メールが集中豪雨発生予想時刻の１０分前に発信されるような場合には、降雨開始予想時刻を抽出し、降雨開始予想時刻に応じてエレベーター２０の浸水対応動作を行わせるタイミングを調整することなく、集中豪雨発生予測メールを受信したら、すぐに浸水対応動作を開始するようにしてもよい。
【００３５】
次に、図４を参照しながら、他のエレベーターシステム２００について説明する。先に図１から図３を参照して説明したエレベーターシステム１００と同一の部分には同一の符号を付して説明は省略する。
【００３６】
図４に示すように、エレベーターシステム２００は、第１エレベーター２０と第２エレベーター１２０を備えている。第１エレベーター２０は第１制御装置２７と第１通信装置２８とを備えている。また、第２エレベーター１２０は、第２制御装置１２７と第２通信装置１２８とを備えている。第１エレベーター２０、第２エレベーター１２０、第１制御装置２７、第２制御装置１２７、第１通信装置２８、第２通信装置１２８の構成は、先に図１から図３を参照して説明したエレベーター２０、制御装置２７、通信装置２８と同様である。ただし、第１通信装置２８と第２通信装置１２８とは通信ネットワーク３５を介して相互に通信することができる構成となっている。なお、第２エレベーター１２０は、第１エレベーター２０の近隣に設置されているものである。
【００３７】
次に図５を参照しながら、エレベーターシステム２００の動作について説明する。以下の説明では、第２エレベーター１２０は第１エレベーター２０の近隣に設置されているが、第１エレベーター２０の第１通信装置２８が集中豪雨発生予測メールを受信した際に、まだ、集中豪雨発生予測メールを受信していない場合の動作について説明する。
【００３８】
図５のステップＳ２０１に示すように、第１通信装置２８は、集中豪雨発生予測メールを受信するまで待機している。そして、第１通信装置２８は、集中豪雨発生予測メールを受信したら、図５のステップＳ２０２に進み、第１制御装置２７にメール受信信号を出力すると共に、第２通信装置１２８に対してメール受信信号を発信する。第２通信装置１２８は、図３のステップＳ２０３に示すように、第１通信装置２８からのメール受信信号を受信したら、図５のステップＳ２０４に示すように、第２制御装置１２７にメール受信信号を出力する。
【００３９】
図５のステップＳ２０５に示すように、第２制御装置１２７は、第２通信装置１２８からのメール受信信号が入力されたら、浸水対応動作を開始する予報を出力する。予報の出力は、例えば、「集中豪雨が近づいています。もうすぐ地下階と一階には停止しなくなります。」、あるいは、「集中豪雨が近づいています。もうすぐエレベーターの運行を停止しますので、乗客の方は速やかにエレベーターから降りて下さい」等をかご１２２の中のディスプレイに表示したり、かご１２２の中のスピーカを通じて音声を流したりすることを行う。
【００４０】
これにより、エレベーターシステム２００では、集中豪雨発生予想メールを受信していない第２エレベーター１２０において、早期に集中豪雨の際の浸水対応動作を行うことができ、集中豪雨発生の際の第２エレベーター１２０への浸水を効果的に抑制することができる。また、集中豪雨発生により乗客の閉じ込めが発生することを抑制することができる。
【００４１】
なお、第１通信装置２８からメール受信信号が入力される第１制御装置２７の動作は、先に説明した図３のステップＳ１０５からＳ１０８と同様である。
【符号の説明】
【００４２】
１０  建屋、１１  昇降路、１２  乗り場階、１３  乗り場ドア、１５  防水シャッタ、２０、１２０  エレベーター、２１、１２１  機械室、２２、１２２  かご、２３、１２３  ロープ、２４、１２４  巻上機、２５、１２５  錘、２６、１２６  ドア、２７、１２７  制御装置、２８、４１、５１、１２８  通信装置、３０、３５  通信ネットワーク、４０  気象情報提供サービスセンタ、４２、５２  情報処理装置、５０  エレベーター管理情報センタ、１００、２００  エレベーターシステム。
【図１】
2018177475.tif 000003
【図２】
2018177475.tif 000004
【図３】
2018177475.tif 000005
【図４】
2018177475.tif 000006
【図５】
2018177475.tif 000007